(57)【要約】【課題】ノイズ等の外乱に影響され難く正確な同期検出および物理アドレス検出を可能にする。【解決手段】ウォブル４波を加算して１入力を構成し、ノイズ等の外乱の影響を抑える。こうして外乱に影響され難くした入力ビット（Ｓ５６１）を用い、ＳＹＮＣパターンの前にある無変調領域（Unity）のカウント値（Ｓ５６３）を同期信号検出のためのゲート信号（Ｓ５６４）生成に利用する。これにより、同期信号（Ｓ５６）の誤検出を防ぐ。【選択図】図１０
2006018892.tif 000002
【特許請求の範囲】
【請求項１】
無変調領域と同期領域とアドレス領域の配列が繰り返された同期位相信号が入力され、この同期位相信号中の前記無変調領域から、前記同期領域の位置に対応するゲート信号を生成する第１の回路系と、
前記同期位相信号が入力され、この同期位相信号中の前記同期領域から、前記アドレス領域の先頭を示す同期信号を生成する第２の回路系と、
前記ゲート信号が生成されているときにだけ前記同期信号通過させて同期出力を提供する第３の回路系とを備えた同期信号検出回路。
【請求項２】
前記同期位相信号は光ディスクから再生されたウォブル変調波に対応しており、前記第１の回路系が、複数のウォブル波を１つの単位として加算するウォブル加算回路と、前記ウォブル加算回路の加算結果をカウントするカウンタと、前記カウンタのカウント結果が前記同期領域の位置に対応する値に到達したときに前記ゲート信号を生成する信号生成回路とを含んで構成される請求項１に記載の回路。
【請求項３】
前記同期位相信号中の前記同期領域はユニークなパターンを持っており、前記第２の回路系が、前記ユニークなパターンを検出するパターン検出回路と、前記パターン検出回路で検出されたパターンが所定の同期パターンに該当するかどうかを判定する比較判定回路とを含んで構成される請求項１または請求項２に記載の回路。
【請求項４】
前記第３の回路系から提供される前記同期出力に基づいて前記同期位相信号中の前記アドレス領域の先頭を示すアドレス先頭信号を出力するアドレス検出回路系と、前記アドレス先頭信号の後に続く前記アドレス領域の内容を、このアドレス領域の物理アドレスを示す情報として保持し出力する物理アドレス保持回路とをさらに備えた請求項１ないし請求項３のいずれか１項に記載の回路。
【請求項５】
無変調領域と同期領域とアドレス領域の配列が繰り返された同期位相信号がウォブル変調により記録された光ディスクを回転駆動するスピンドルモータと；
前記スピンドルモータにより回転駆動される前記光ディスクから前記同期位相信号を再生する光ピックアップと；
前記光ピックアップにより再生された前記同期位相信号が入力され、この同期位相信号中の前記無変調領域から、前記同期領域の位置に対応するゲート信号を生成する第１の回路系と；
前記同期位相信号が入力され、この同期位相信号中の前記同期領域から、前記アドレス領域の先頭を示す同期信号を生成する第２の回路系と；
前記ゲート信号が生成されているときにだけ前記同期信号通過させて同期出力を提供する第３の回路系とを備えたディスクドライブ装置。
【請求項６】
前記同期位相信号は前記光ディスクから再生されたウォブル変調波に対応しており、前記第１の回路系が、複数のウォブル波を１つの単位として加算するウォブル加算回路と、前記ウォブル加算回路の加算結果をカウントするカウンタと、前記カウンタのカウント結果が前記同期領域の位置に対応する値に到達したときに前記ゲート信号を生成する信号生成回路とを含んで構成される請求項５に記載の装置。
【請求項７】
前記同期位相信号中の前記同期領域はユニークなパターンを持っており、前記第２の回路系が、前記ユニークなパターンを検出するパターン検出回路と、前記パターン検出回路で検出されたパターンが所定の同期パターンに該当するかどうかを判定する比較判定回路とを含んで構成される請求項５または請求項６に記載の装置。
【請求項８】
前記第３の回路系から提供される前記同期出力に基づいて前記同期位相信号中の前記アドレス領域の先頭を示すアドレス先頭信号を出力するアドレス検出回路系と、前記アドレス先頭信号の後に続く前記アドレス領域の内容を、このアドレス領域の物理アドレスを示す情報として保持し出力する物理アドレス保持回路とをさらに備えた請求項５ないし請求項７のいずれか１項に記載の装置。
【請求項９】
無変調領域と同期領域とアドレス領域の配列が繰り返された同期位相信号を用いて、この同期位相信号中の前記無変調領域から、前記同期領域の位置に対応するゲート信号を生成し、
前記同期位相信号を用いて、この同期位相信号中の前記同期領域から、前記アドレス領域の先頭を示す同期信号を生成し、
前記ゲート信号が生成されているときにだけ前記同期信号通過させて同期出力を提供するように構成した信号処理方法。
【請求項１０】
前記同期信号に基づいて前記同期位相信号中の前記アドレス領域の先頭を示すアドレス先頭信号を出力し、
前記アドレス先頭信号の後に続く前記アドレス領域の内容を、このアドレス領域の物理アドレスを示す情報として保持し出力するように構成した請求項９に記載の方法。
【発明の詳細な説明】
【技術分野】
【０００１】
この発明は、光ディスク装置に関し、特に、光ディスク装置における同期信号検出および物理アドレス検出の改善に関する。
【背景技術】
【０００２】
最近、デジタル記録媒体としてＤＶＤ（Digital Versatile Disc）等の光ディスクが普及してきており、これらを再生する光ディスク装置においては高い信頼性が望まれている。このような光ディスクにおいては、記憶領域が螺旋状のトラック上に設けられており、そのアドレス情報にトラック番号が含まれている。再生時における早送り早戻し等の処理の際には、モータドライブで光ピックアップを送った後に、アクチュエータで対物レンズを適宜傾けることで１トラック毎の微調整を行っている。トラックジャンプの際も、目標のアドレスへ正確にジャンプしたかどうかを判断する際に、トラック番号が所望の番号となっているかどうかが判断される。特許文献１には、トラックジャンプ処理が命じられるとジャンプを行い、ジャンプが成功したか否かをアドレス情報に基づいて判定する光ディスク装置が示されている。ここで、目標トラックでないと判断されれば、再びジャンプを繰り返すようになっている。
【０００３】
ところで、ＤＶＤは規格自体も進化しており、近々、ハイビジョン対応の次世代ＤＶＤ規格も出来上がる予定でいる。次世代ＤＶＤ規格では、現世代ＤＶＤ規格よりも記録密度が高まるため再生信号のＣＮ比が低下しがちであり、この再生信号から同期信号やアドレス情報を取り出す際に、相対的にノイズ等の外乱の影響を受けやすくなっている。特許文献２では、１ビット入力の信号をシフトレジスタによりシフトし、パターンとの照合を行うことにより同期信号を得ている。
【特許文献１】特開２００２−１０９７５６号公報
【特許文献２】特開２００３−１８７４５７号公報
【発明の開示】
【発明が解決しようとする課題】
【０００４】
特許文献１では、ジャンプ後のアドレス情報によりジャンプ可否を判定している。しかし、この方法は１トラックジャンプ後に物理アドレスを検出するものであり、１トラックジャンプした隣接トラックの物理アドレスを検出したのかどうか分からず、別のトラックの物理アドレス検出の可能性も考えられる。従って、１トラックジャンプ後、２度物理アドレスを検出し比較しなければ、物理アドレスが正しいかどうか分からないため、信頼性のある物理アドレス検出に時間がかかる。
【０００５】
また、特許文献２では１ビット入力信号のためノイズ等の外乱による影響を受けやすい。さらに、次世代規格の場合、同期（ＳＹＮＣ）パターンと物理アドレスパターンが似ていることもあり、たとえば物理アドレスをＳＹＮＣとして誤検出する可能性があり、誤動作がたびたび起こる可能性がある。
【０００６】
もう少し具体的にいうと、特許文献２の回路構成では、ノイズ等の外乱がないときは、所定のＳＹＮＣパターン位置のウォブル信号のうちＳＹＮＣパターン特有の部分をきちんと認識できており、所定の位置でＳＹＮＣ検出されたこと示す同期信号が出力される。それに対し、所定のアドレス位置にあるアドレスパターンの一部がノイズ等の外乱により信号が崩れると、ＳＹＮＣとして誤検出されてしまうことが起き得る。このようにＳＹＮＣを誤検出すると、誤検出したＳＹＮＣに続く信号を誤って物理アドレスとして認識するため正しい物理アドレスが取得できず、ディスク上の正しい位置が分からなくなって、誤動作の原因となる。
【０００７】
この発明の課題の１つは、最も検出効率がよく、かつノイズ等の外乱に影響され難く正確な同期検出および物理アドレス検出を可能にすることである。
【課題を解決するための手段】
【０００８】
この発明の一実施の形態に係る同期信号検出または物理アドレス検出のための回路／方法では、入力を複数ビット構成（例えばウォブル４波で１入力を構成）とし、例えばエッジ変化点のレベル検出及び状態検出を行うことによりノイズ等の外乱の影響を抑える。さらに、ＳＹＮＣおよび物理アドレス領域の前にある無変調領域（Unity）をＳＹＮＣ検出に利用することにより、ＳＹＮＣの誤検出を防ぐ。
【発明の効果】
【０００９】
この発明によれば、最も検出効率がよく、かつノイズ等の外乱に強くより正確なＳＹＮＣ検出／物理アドレス検出ができる。
【発明を実施するための最良の形態】
【００１０】
以下、この発明の実施の形態について図面を参照して詳細に説明する。図１は、この発明の一実施の形態に係る光ディスク装置の構成例を説明する図である。図２は、この発明の一実施の形態に係る光ディスク装置のピックアップの構成例を説明する図である。図３は、この発明の一実施の形態に係る光ディスク装置のウォブルＰＬＬ部／アドレス検出部の構成例を説明する図である。
【００１１】
この発明の一実施の形態に係る光ディスク装置は、図１及び図２に示すような構成を有している。ここで、光ディスクＤはユーザデータを記録（または書替）可能な光ディスクあるいは読出し専用の光ディスクであるが、この実施の形態では記録（または書替）可能な光ディスクとして説明を行う。記録または書替可能な光ディスクとしては、例えば、波長４０５ｎｍ前後のブルーレーザを用いた次世代ＤＶＤ−ＲＡＭ、ＤＶＤ−ＲＷ、ＤＶＤ−Ｒ等（あるいは波長６５０ｎｍレーザを用いた現世代ＤＶＤ−ＲＡＭ、ＤＶＤ−ＲＷ、ＤＶＤ−Ｒ等）の光ディスクがある。
【００１２】
光ディスクＤの表面にはスパイラル状にランドトラック及びグルーブトラックが形成されており、このディスクＤはスピンドルモータ１３によって回転駆動される。光ディスクＤに対する情報の記録、再生は、ピックアップ１５によって行われる。ピックアップ１５は、スレッドモータ３０とギアを介して連結されており、このスレッドモータ３０はデータバス３９に接続されるスレッドモータドライバ３１により制御される。スレッドモータ３０の固定部に図示しない永久磁石が設けられており、図示しない駆動コイルが励磁されることにより、ピックアップ１５が光ディスクＤの半径方向に移動する。
【００１３】
ピックアップ１５には、図２に示すように対物レンズ２２が設けられている。対物レンズ２２は駆動コイル２１の駆動によりフォーカシング方向（レンズの光軸方向）への移動が可能で、又、駆動コイル２０の駆動によりトラッキング方向（レンズの光軸と直交する方向）への移動が可能であって、レーザ光のビームスポットを移動することで、トラックジャンプを行うことができる。
【００１４】
変調回路１９は、情報記録時にホスト装置４４からインタフェース回路４３を介して供給されるユーザデータを例えば８−１４変調（ＥＦＭ）して、ＥＦＭデータを提供する。レーザ制御回路１８は、情報記録時（マーク形成時）に、変調回路１９から供給されるＥＦＭデータに基づいて、書き込み用信号を半導体レーザダイオード２８に提供する。又、レーザ制御回路１８は、情報読取り時に書き込み信号より小さい読取り用信号を半導体レーザダイオード２８に提供する。
【００１５】
半導体レーザダイオード２８は、レーザ制御回路１８から供給される信号に応じてレーザ光を発生する。半導体レーザダイオード２８から発せられるレーザ光は、コリメータレンズ２５、ハーフプリズム２４、対物レンズ２２を介して光ディスクＤ上に照射される。光ディスクＤからの反射光は、対物レンズ２２、ハーフプリズム２４、集光レンズ２７を介して、光検出器２６に導かれる。
【００１６】
光検出器２６は４分割の光検出セルからなり、信号Ａ，Ｂ，Ｃ，ＤをＲＦアンプ１２に供給する。ＲＦアンプ１２は、（Ａ＋Ｄ）−（Ｂ＋Ｃ）に対応するトラッキングエラー信号ＴＥをトラッキング制御部３８に供給し、（Ａ＋Ｃ）−（Ｂ＋Ｄ）に対応するフォーカスエラー信号ＦＥをフォーカシング制御部３７に供給する。更に、ＲＦアンプ１２は、（Ａ＋Ｄ）−（Ｂ＋Ｃ）に対応するウォブル信号ＷＢをウォブルＰＬＬ部／アドレス検出部３６に供給し、（Ａ＋Ｄ）＋（Ｂ＋Ｃ）に対応するＲＦ信号をデータ再生部３５に供給する。
【００１７】
一方、フォーカシング制御部３７の出力信号は、フォーカシング駆動コイル２１に供給される。これにより、レーザ光が光ディスクＤの記録膜上に常時ジャストフォーカスとなる制御がなされる。又、トラッキング制御部３８は、トラッキングエラー信号ＴＥに応じてトラック駆動信号を生成し、トラッキング方向の駆動コイル２０に供給する。
【００１８】
上記フォーカシング制御及びトラッキング制御がなされることで、光検出器２６の光検出セルの出力信号の和信号ＲＦは、記録情報に対応して光ディスクＤのトラック上に形成されたピットなどからの反射率の変化が反映される。この信号は、データ再生部３５に供給される。
【００１９】
データ再生部３５は、ＰＬＬ回路１６からの再生用クロック信号に基づき、記録データを再生する。又、データ再生部３５は信号ＲＦの振幅を測定する機能を有し、該測定値はＣＰＵ４０によって読み出される。
【００２０】
上記トラッキング制御部３８によって対物レンズ２２が制御されているとき、対物レンズ２２が光ディスクの最適位置となるように、スレッドモータ３０が制御されることで、ピックアップ１５が制御される。
【００２１】
モータ制御回路１４、トラッキング制御回路３８、レーザ制御回路１８、ＰＬＬ回路１６、データ再生部３５、フォーカシング制御部３７、トラッキング制御部３８等は、サーボ制御回路として１つのＬＳＩチップ内に構成することができ、又、これら回路はバス３９を介してＣＰＵ４０によって制御される。ＣＰＵ４０はインタフェース回路４３を介してホスト装置４４から提供される動作コマンドに従って、この光ディスク記録再生装置を総合的に制御する。又、ＣＰＵ４０は、ＲＡＭ４１を作業エリアとして使用し、ＲＯＭ４２に記録されたこの発明を含むプログラムに従って所定の動作を行う。
【００２２】
図３は、図１のウォブルＰＬＬ部／アドレス検出部３６に対応する回路構成（ウォブル信号から物理アドレスを生成する構成を含む）の具体例を示している。この構成の主要部は、大きくいって、ウォブルＰＬＬ回路５１、同期信号検出部（ＳＹＮＣ検出回路）５６、及びアドレス領域先頭検出部（アドレス検出回路）５７に分けられる。ここで、ウォブルＰＬＬ回路５１は、ウォブル信号ＷＢをデジタル化するＡ／Ｄ回路５２と、その出力を積分する積分回路（ＳＩＮ同期位相検出回路）５３と、その出力をアナログ化するするＤ／Ａ回路５５と、Ｄ／Ａ回路５５からの信号レベルに基づいて周期が制御される発振信号をＡ／Ｄ回路５２に供給するＶＣＯ回路５４とを有している。
【００２３】
ウォブルＰＬＬ回路５１では、ウォブル入力信号ＷＢとＳＩＮ波の積分演算が行われ、後述する図８、図１０、あるいは図１１に例示されるようなＳＩＮ同期位相検出信号Ｓ５１が作られる。ここで、ＳＩＮ同期位相検出信号Ｓ５１は、反転位相ウォブル部分（ＩＰＷ部分）は“＋”値で出力され、ノーマル位相ウォブル部分（ＮＰＷ部分）は“−”値で出力されるものとしている。この信号Ｓ５１から、ＳＹＮＣパターンの検出、及びアドレスパターンの検出が行われる。図３の構成では、とくに回路ブロック５６と５７に特徴があるが、これらの回路ブロックの詳細については、図７、図１２などを参照して後述する。
【００２４】
図３のウォブルＰＬＬ部／アドレス検出部３６は、ウォブルＰＬＬ回路５１、同期信号検出部５６、およびアドレス領域先頭検出部５７の他に、さらに、アドレス保持部５８と、１トラックジャンプ前アドレス保持部５９と、アドレス比較部６０と、信頼性判定部６１とを含んで構成されている。この構成では、ウォブルＰＬＬ部／アドレス検出部３６は、ウォブル信号ＷＢに基づきトラックジャンプ時の信頼性を判断して、物理アドレス出力ＡＤと共に信頼性フラグＦをデータバス３９に出力することができる。
【００２５】
図３の回路ブロック５１〜６１（あるいは少なくとも図７、図１２の５６〜５８）は、ディスクリート電子部品で構成することもできるが、量産時にはＩＣ（コントローラＬＳＩ）化することが望ましい。
【００２６】
上述した構成を持ち、再生処理及び記録処理を行う光ディスク装置は、以下のように、トラックジャンプを行い、更に、このトラックジャンプの信頼性を確認することができる。図４は、この発明の一実施の形態に係る光ディスク装置のウォブルＰＬＬ部／アドレス検出部における信号読取り時の信号波形例を説明する波形図である。図５は、この発明の一実施の形態に係る光ディスク装置が扱う光ディスクの記録トラックの周辺レイアウトの一例を説明する図である。図６は、この発明の一実施の形態に係る光ディスク装置が扱う光ディスクのウォブル信号の物理アドレスフォーマット（次世代ＤＶＤ物理アドレスフォーマット）の一例を説明する図である。
【００２７】
図４は、光ディスク（記録媒体）Ｄのアドレッシング方法として、記録トラックをウォブル変調で対応した時の各信号関係を例示した図である。蛇行した記録トラックからデジタルデータを再生していく（または、デジタルデータを記録していく）が、このとき記録されたデータは指定された位置に記録されている。そして、それを決定した物理アドレス情報は、記録トラックのウォブル７１に対応したウォブル信号ＷＢを読み出して復調することで得られる。図４は、トラック上の読取りビーム７２と検出されたウォブル信号ＷＢ、およびウォブル変調で情報を埋め込む場合の変調規則を例示している。ここでは、ウォブル信号ＷＢのサイン波（ノーマル位相ウォブル：ＮＰＷ）をビット情報“０”とし、コサイン波（反転位相ウォブル：ＩＰＷ）を“１”として用いて、アドレス情報が記録されている。
【００２８】
図５は、光ディスク記録媒体の記録トラックがランド／グルーブ共に使われる構造に対する、物理アドレス情報のレイアウトを例示した図である。この例では、ウォブル変調によるアドレッシングは、グルーブトラックで行うため、ランドトラックに対する記録再生でも正しいアドレッシングが構成されていなければならない。そこでゾーン方式という構造が採用され、光ディスクＤをラジアル方向で複数ゾーンに分割し、各ゾーン内は記録容量が一定のセグメントパケットを構成し、そこに物理アドレス情報である“ゾーン番号”、“トラック番号”、“セグメント番号”がグルーブトラックのウォブル変調で埋め込まれる。ゾーンが変わると、記録密度が略等しい単位でセグメントを構成するように分割角度を変更して、記録容量を最適化している。図５のような構成にすると、ランド／グルーブ方式でも、グルーブウォブルによるアドレス情報は、トラック番号を除けば隣接トラック間では同じ値になり、ランドトラックでも物理アドレス情報が読み出せる。トラック番号は、ランド用とグルーブ用を配置することでランドでもグルーブでも情報が得られるように構成されるため、問題は生じない。
【００２９】
図６は、物理アドレスのデータ構造を全体の関係で例示した図である。物理アドレス情報は、ＷＤＵ（Wobble Data Unit）１７組（８１〜８３）で構成されたＷＡＰ（Wobble Address in Periodic position）と呼ばれる集合体８４〜８６に埋め込まれる。このＷＡＰが連結してトラックウォブルが出来上がるため、ＷＡＰで決められる周期が物理アドレスデータの埋めこまれた周期になる。
【００３０】
物理アドレスデータ８５は３９ビットで構成される。ここで、“セグメント情報（Segment Information）”、“セグメントアドレス（Segment address）”、“ゾーンアドレス（Zone address）”、“パリティアドレス（Parity address）”、“グルーブアドレス（Groove address）”および“ランドアドレス（Land address）”の情報ビット群８７は３ビットづつに分割され、各ＷＤＵに分配されて変調処理によって埋めこまれる。このようにして、ゾーン番号８９、トラック番号９０、セグメント番号９１が格納される。
【００３１】
アドレス情報が埋め込まれるＷＤＵ８２は３ビットでアドレス情報を構成しており、各１ビットは４ウォブルに対応させている。このため、ＷＤＵの先頭４ウォブルは、ＩＰＷ構成として、ＷＤＵの先頭識別が容易になる構成をとっている。結果として各ＷＤＵのアドレス情報埋め込み以降６８ウォブルはＮＰＷと規定している。
【００３２】
アドレスデータ全体は３９ビットであることから、必要なＷＤＵ８２は１３ユニットとなり、先頭側ＷＤＵにはＷＡＰの同期信号８４が配置され、後方側の３ユニットは無変調のユニット（Unity field）８６で構成される。このようなトラックウォブル変調で物理アドレスが埋め込まれた記録トラックには、情報データが記録されるが、この場合の記録データは、７７３７６バイトのデータに対して、先頭に７１バイトのＶＦＯ（再生動作時、データ復調用チャネルクロックを生成し易いようにするための一定周波数信号）、後方にはデータブロック接続処理を行うための“ＰＡ領域（PA field）”、“リザーブ領域（Reserved field）”および“バッファ領域（Buffer field）”の計２２バイトが記録される。トータルで７７４６９バイトが７物理セグメント（Physical segment）（９９９６ウォブル相当）に記録される。このような約束事で情報データが“Physical segment”アドレスデータを使って指定された場所に記録されることになる。このため、Physical segmentの正確なアドレスデータ読出しが重要になる。
【００３３】
光ディスクＤには、以上のような構成でトラックウォブルを変調して物理アドレスが記録されている。このような光ディスクＤのウォブルから物理アドレスを読み出す場合は、ウォブル信号ＷＢから同期信号を検出し、この同期信号に応じたタイミング信号を生成させ、このタイミング信号に応じて、アドレス情報をウォブル信号から抜き出し復調して取得する。
【００３４】
次に、上記したウォブル信号ＷＢに基づくアドレス情報の取得のタイミングの一例について説明する。初めに、現在いるトラックポイントＰ１から隣のトラックポイントＰ２に１トラックジャンプする場合、物理アドレスの検出は、トラックポイントＰ２から始めることとなる。ここで、トラックポイントＰ２が物理アドレス領域外の場所であった場合、トラックポイントＰ３から物理アドレス検出を行うこととなる。そして、物理アドレスの信頼性を確認するべく、更にトラックポイントＰ４の物理アドレスを検出し、トラックポイントＰ３との比較により、トラックジャンプの到達点が正しいということが確認できることになる。
【００３５】
ところで、光ディスクのウォブル信号の次世代ＤＶＤ物理アドレスフォーマットは、図６に示したように、物理アドレスは、“ゾーン番号”、“トラック番号”、“セグメント番号”で構成されており、１ＷＡＰで１物理アドレスを構成している。その中のトラック番号は、同一ゾーン内では隣接するトラック番号のハミング距離＝１という性質を用いることで、１トラックジャンプ時の物理アドレスの信頼性を確認することができる。
【００３６】
このアドレス情報の取得は、図３のアドレス検出部３６により行われる。初めに、現在いる記録トラックポイントＰＡのそれぞれの物理アドレスがレジスタ等により常にアドレス保持部５８により保持される。次に、例えばユーザの早送りあるいは早戻し操作に応じてスレッドモータ３０等によりピックアップ１５が移動された後にトラックジャンプが必要となった場合、ＣＰＵ４０等から位置トラックジャンプ命令Ｊのコマンドがアドレス検出部３６の１トラックジャンプ前アドレス保持部５９により供給され、アドレス５８に保持されたジャンプ前のアドレスが保持される。これと同時に、ＣＰＵ４０等から位置トラックジャンプ命令Ｊのコマンドがトラッキング制御部３８に与えられることで、トラッキング制御部３８によりトラッキング制御信号ＣＴＲが駆動コイル２０に供給される。これにより、対物レンズ２２が変位してビームスポットがトラックポイントＰＡからトラックポイントＰＢへとトラックジャンプされる。
【００３７】
その後、アドレス比較部６０は、１トラックジャンプ前アドレス保持部５９からの１トラック前のアドレスと、アドレス保持部５８からの１トラックジャンプ後のアドレスとを比較することで、トラック番号を比較する。このとき、光ディスクＤの外周側へのビームスポットの移動の際は、アドレス情報に含まれるトラック番号が移動分だけ増えたかどうか、光ディスクＤの内周側へのビームスポットの移動の際は、トラック番号が移動分だけ減ったかどうかを判断する。そして、アドレス比較部６０の判断結果が信頼性判定部６１に供給され、信頼性判定部６１がトラック番号が１トラックの変化を確認すれば、信頼性フラグＦを例えば“１”として、ＣＰＵ４０又はトラッキング制御部３８に供給する。これにより、ジャンプが成功した場合はジャンプ処理を終了し、これにより、ジャンプが成功しなかった場合は、再びトラックジャンプ処理を行う。
【００３８】
すなわち、トラックジャンプによるトラックポイントＰＢが物理アドレス領域であれば、トラックポイントＰＢでのアドレス情報を検出することで、トラックジャンプが正しく行えたと判断することが可能となる。又、トラックジャンプによるトラックポイントＰＢが物理アドレス領域外であれば、トラックポイントＰＣでのアドレス情報を検出することで、トラックジャンプが正しく行えたと判断することが可能となる。
【００３９】
上記のアドレス情報の取得方法によれば、トラックジャンプの信頼性をより迅速に確認することが可能となり、更に、１トラックジャンプ位置が正しいことを確認することができる。
【００４０】
図７は、この発明の一実施の形態に係る同期信号検出部（ＳＹＮＣ検出回路）５６の回路構成の一例を説明するブロック図である。ＳＹＮＣ検出回路５６のブロック構成は、大きくいって、ＳＹＮＣ検出部（シフトレジスタ５６５＋パターン演算（状態＋エッジレベル算出）５６６＋比較判定（ＳＹＮＣ検出）５６７）と、無変調領域検出部（ウォブル４波加算５６１＋２値化５６２＋カウンタ５６３＋Gate信号生成５６４）に分けられる。
【００４１】
ＳＹＮＣ検出部（５６５〜５６７）は、所定のＳＹＮＣパターン位置（図６のＷＡＰ“0”番目）の８４ウォブル信号の内、ＳＹＮＣパターン特有の部分であるＩＰＷ６ウォブル＋ＮＰＷ４ウォブル＋ＩＰＷ６ウォブル部分（ユニークパターン部分）を検出する回路である。まず最初にＳＩＮ同期位相検出信号Ｓ５１をシフトレジスタ部５６５でシフト処理する。その処理結果はパターン演算部５６６に入力され、そこで、シフト処理した信号の符号変化点（ＩＰＷ→ＮＰＷ／ＮＰＷ→ＩＰＷ：エッジ検出）の差分演算、及びエッジ変化点以外での信号の符号比較による状態の安定（符号一致）検出を行う。比較判定部５６７は、パターン演算部５６６でのエッジ検出値が閾値以上であり、かつ状態がＳＹＮＣと一致していると判定できた場合に、同期信号が検出されたものとして、信号Ｓ５６７を出力する。
【００４２】
一方、無変調領域検出部（５６１〜５６４）は、図１０、図１１に示すGate信号Ｓ５６４を生成する回路である。まず最初に、ＳＹＮＣ及び物理アドレスの信号で共通の最大変化単位であるウォブル４波加算を行う。ウォブル４波とは、ＳＹＮＣ及び物理アドレスの信号で共通の変調符号ビットクロック単位であり、４波単位で状態が変化するので、最も検出効率の高い単位である。
【００４３】
ウォブル４波単位で加算すると、そのうちの１波がノイズＮｘ等により変質されても、４波分の加算結果では残り３波の正常結果が優勢となって、誤検出が防止される。（図１０では、本来“−−−−”となるべきウォブル４波対応信号Ｓ５１のビット内容がノイズＮｘによるウォブル波形異常で“−−−＋”となってしまったが、４波加算の結果、一種の多数決原理により“−”として正しく検出されることを例示している。）なお、４波分の内容が例えば“＋＋−−”のようにプラスとマイナスが同数になる部分は４波分加算結果が不定となるが、これはウォブル波形がＩＰＷからＮＰＷに変化する場所あるいはＮＰＷからＩＰＷに変化する場所を除いては発生確率が低いので、全体としてはノイズに影響されにくいといえる。この加算結果不定を回避する方法の１つとして、奇数波加算（例えばウォブル３波または５波加算）を採用することも考えられる。
【００４４】
図７の構成によれば、図１０のように１ウォブル信号程度の誤検出（Ｎｘ部分）が生じても連続ＮＰＷとしての無変調領域での誤検出を防ぎ、ＳＹＮＣ検出の精度を上げることができる。その４波分加算結果の２値化信号（図１０の無変調領域（３２０ＮＰＷのUnity Field）におけるＳ５６１の“−”符号）をカウンタ５６３にてカウントアップする（“＋”符号時は、無変調領域外のためカウンタ５６３をクリア）。ＳＹＮＣ領域の前にある無変調領域（Unity）は、図６より、ＷＡＰ“１３〜１６”番目のUnity３つ（８４ウォブル×３）＋ＷＡＰ“１３”番目のアドレスの６８ウォブル＝３２０ウォブルとなる。図１０の例では、カウンタ５６３のカウント値＝３１６で、Gate信号生成部５６４をオン（Gate信号Ｓ５６４発生）としている。
【００４５】
そして、このGate信号Ｓ５６４が発生している間だけ、前記ＳＩＮＣ検出部５６７からの出力信号Ｓ５６７を、ＳＹＮＣ出力Ｓ５６として取り出す。このようにすれば、仮にGate信号Ｓ５６４が発生しない期間で（図１１の疑似ＳＹＮＣパターンの発生などにより）信号Ｓ５６７が誤って発生しても、この誤ったＳ５６７がＳＹＮＣ出力Ｓ５６として取り出されることはない。
【００４６】
図７の回路構成は、無変調領域（８６）と同期領域（８４）とアドレス領域（８５）の配列が繰り返された同期位相信号（Ｓ５１）が入力され、この同期位相信号（Ｓ５１）中の前記無変調領域（８６）から、前記同期領域（８４）の位置に対応するゲート信号（Ｓ５６４）を生成する第１の回路系（図７の５６１〜５６４）と、前記同期位相信号（Ｓ５１）が入力され、この同期位相信号（Ｓ５１）中の前記同期領域（８４）から、前記アドレス領域（８５）の先頭（ＡＨＳ）を示す同期信号（Ｓ５６７）を生成する第２の回路系（図７の５６５〜５６７）と、前記ゲート信号（Ｓ５６４）が生成されているときにだけ前記同期信号（Ｓ５６７）通過させて同期出力（Ｓ５６）を提供する第３の回路系（図７の５６８）とを備えた同期信号検出回路を含んでいる。
【００４７】
図８は、この発明の一実施の形態における同期検出のタイミングを説明する図である。また、図９は、この発明の一実施の形態に係る光ディスクのウォブル信号の内容例（ユニティ領域と同期パターンとアドレス領域の配列例）を説明する図である。
【００４８】
同期信号検出部５６に入力される信号は図９に示すようにUnity８６とＳＹＮＣ８４とアドレス領域８５の並びが反復された内容となっている。このような信号からアドレス領域８５の先頭ＡＨＳを検出するために、ＳＹＮＣ８４のユニークパターンから同期信号Ｓ５６７（Ｓ５６）を生成する。
【００４９】
すなわち、図８に示すように、ＳＹＮＣパターンは、ＩＰＷ６波（ＳＩＮ同期位相検出の状態判定は“＋”）と、ＮＰＷ４波（ＳＩＮ同期位相検出の状態判定は“−”）と、ＩＰＷ６波（ＳＩＮ同期位相検出の状態判定は“＋”）とからなるユニークパターンを持つ。ＩＰＷ６波とＮＰＷ４波とＩＰＷ６波の区切りはウォブル入力ＷＢの位相変化またはＳＩＮ同期位相検出信号Ｓ５１のエッジレベル変化で判定できる。このエッジレベルが所定のしきい値以上の値をもち、かつ検出されたパターンがＳＹＮＣのユニークパターン（６／４／６）に合致すれば、パターン照合（パターン演算）の結果Ｓ５６６は「ＳＹＮＣパターンである」と判定され、同期信号Ｓ５６７（Ｓ５６）が出力される。
【００５０】
図１０は、この発明の他の実施の形態における同期検出のタイミング（例１）を説明する図である。この例では、ウォブル４波に対応したＳＩＮ同期位相検出信号Ｓ５１からその４波分を加算（あるいは積分）してカウント用信号（“−”）Ｓ５６１を作るので、４波分のうち１つがノイズに影響されても４波全体としてみればノイズの影響は除去される。こうしてノイズの影響が除かれたカウント用信号（“−”）Ｓ５６１をUnity Field分カウント（ここでは“316”カウント）することで、ＳＹＮＣパターンが存在する位置を割り出して、Gate信号Ｓ５６４を生成する。このGate信号Ｓ５６４の信号幅はＳＹＮＣパターンの幅より若干広くとり、Gate信号Ｓ５６４の信号幅内にＳＹＮＣパターン（少なくともその末尾位置）が収まるようにする。そして、ＳＹＮＣパターンの末尾で同期信号Ｓ５６７を発生させ、この信号Ｓ５６７をGate信号Ｓ５６４が発生している間にＡＮＤゲート５６８を通過させて、正規の同期信号Ｓ５６とする。
【００５１】
以上のようにすると、Gate信号Ｓ５６４が発生していないときに誤って発生した信号Ｓ５６４が同期信号Ｓ５６としてＡＮＤゲート５６８から出力されてしまうことがない。
【００５２】
図１１は、Gate信号Ｓ５６４が発生していないときに誤って発生した信号Ｓ５６４がＡＮＤゲートでブロックされて、同期信号Ｓ５６として出力されない場合を例示している。すなわち、アドレスパターンが、ノイズ等の外乱（Ｎｘ１、Ｎｘ２）によりＳＹＮＣであると誤検出された場合（疑似ＳＹＮＣパターンの誤検出）であっても、その時点では無変調領域（Unity Field）のカウント値が所定値（図１０の例では、“316”）になることはなく、 Gate信号Ｓ５６４が発生しないので、疑似ＳＹＮＣパターンにより発生された信号Ｓ５６７はＡＮＤゲート５６８でブロックされる。このため、誤って発生された信号Ｓ５６７が同期信号Ｓ５６としてＡＮＤゲート５６８から出力されてしまうことがないから、ＳＹＮＣの誤検出は回避される。
【００５３】
図１２は、無変調領域を用いたＳＹＮＣ検出の変形例として、物理アドレス検出を行うブロック図の例である。図６あるいは図９に示すように、物理アドレス（８５）はＳＹＮＣパターン（８４）直後から始まるため、ＳＹＮＣ検出を行った後でなければ正しい物理アドレスを検出することはできない。そこで、図７の同期信号検出部（ＡＮＤゲート５６８）５６から出力されたＳＹＮＣ出力Ｓ５６により「ＳＹＮＣ検出が行われたことを示すフラグ」を立てるようにする。そして、この「ＳＹＮＣ検出が行われたことを示すフラグ」が立っている場合に物理アドレス検出を行う。ここで、アドレス領域８５の先頭ＡＨＡの位置を捕らえるために利用する無変調領域としては、図６より、ＳＹＮＣパターン（図６の８１で示されるＩＰＷ６ウォブル＋ＮＰＷ４ウォブル＋ＩＰＷ６ウォブル）の後のＮＰＷ６８ウォブルを用いる。
【００５４】
すなわち、図１２の回路構成において、ＳＹＮＣ出力Ｓ５６をカウンタ／比較イネーブル生成回路５７９に入力し、「ＳＹＮＣ検出が行われたことを示す」フラグＳ５７９（＝“１”）を立てる。このフラグがアクティブ（フラグＳ５７９＝“１”）であるときに、ＳＩＮ同期位相信号Ｓ５１のウォブル４波加算結果Ｓ５７１の２値化信号Ｓ５７２をカウンタ５７３でカウントする。このカウント値Ｓ５７３が例えば６５になったら、Gate信号生成回路５７４がGate信号Ｓ５７４を発生する。
【００５５】
一方、 図７の回路構成と同様に、ＳＩＮ同期位相信号Ｓ５１をシフトレジスタ５７５とパターン演算部５７６で処理する。そして、シフト処理した信号の符号変化点（ＩＰＷ→ＮＰＷ／ＮＰＷ→ＩＰＷ：エッジ検出）の差分演算、及びエッジ変化点以外での信号の符号比較による状態の安定（符号一致）検出を行う。比較判定部５７７は、フラグＳ５７９＝“１”であるときに、パターン演算部５７６でのエッジ検出値が閾値以上であり、かつ状態がアドレス先頭と一致している（例えばＳＩＮ同期位相検出信号Ｓ５１が“＋＋＋＋”）と判定できた場合に、アドレス先頭ＡＨＡが検出されたものとして、信号Ｓ５７７を出力する。
【００５６】
こうして出力された信号Ｓ５７７は、前記Gate信号Ｓ５７４の発生期間にＡＮＤゲート５７８を通過して、アドレス領域先頭位置ＡＨＡを捕らえるための信号Ｓ５７として物理アドレス保持部５８に入力される（Gate信号Ｓ５７４が発生していない期間に信号Ｓ５７７が発生されたときは、この信号Ｓ５７７は、誤検出によるものとして、ＡＮＤゲート５７８を通さない）。物理アドレス保持部５８は、信号Ｓ５７を受けると、その直後からのＳＩＮ同期位相信号Ｓ５１を物理アドレス情報として取り込み保持する。こうして保持された物理アドレス情報（３ビットのアドレスbit2〜bit0）が、物理アドレス出力Ｓ５８となる。
【００５７】
図１３は、上述した図１２の回路構成によりアドレス検出を行うタイミングを例示している。この例では、図１２のカウンタ５７３のカウント値＝６５でGate信号生成回路５７４をオンしてＡＮＤゲート５７８を開いている。アドレス先頭ＡＨＡが検出できた場合、次にくるＳＩＮ同期位相信号Ｓ５１のbit2、1、0のそれぞれ４ウォブル加算値の符号をアドレスとして物理アドレス保持部５８でラッチし、アドレス出力Ｓ５８を取得する。
【００５８】
図１２の構成は、図７の５６８から提供される同期出力（Ｓ５６）に基づいて、同期位相信号（Ｓ５１）中の前記アドレス領域（８５）の先頭（ＡＨＡ）を示すアドレス先頭信号（Ｓ５７７）を出力するアドレス検出回路系（図１２の５７５〜５７７、５７９）と、前記アドレス先頭信号（Ｓ５７７）の後に続く前記アドレス領域（８５）の内容（図１３のアドレスビット０〜２；またはアドレス領域でのＳ５１）を、このアドレス領域（８５）の物理アドレスを示す情報（Ｓ５８）として保持し出力する物理アドレス保持回路（５８）とを備えている。
【００５９】
（実施の形態による効果のまとめ）
この発明の実施の形態による無変調領域の検出では、ＳＹＮＣ及び物理アドレスの信号の共通の変調符号ビットクロック単位である４ウォブル加算値の２値化（符号）信号で位置検出のためのカウントを行なう。これにより、最も検出効率がよく、かつ簡単な回路で、さらにノイズ等の外乱に強く、その無変調領域を使用してＳＹＮＣ検出を行うことができる。よって、ＳＹＮＣ誤検出を防ぐことができ、信頼性の高いＳＹＮＣ検出が可能となる。
【００６０】
上記により信頼性の高いＳＹＮＣ検出を行った後、物理アドレス検出を行うため、信頼性の高い物理アドレス検出が可能となる。
【００６１】
ＳＹＮＣの誤検出は、ＳＹＮＣ直後から書かれている物理アドレスの誤検出につながる。そのため、 ＳＹＮＣの誤検出があるとディスク上の正しい場所（アドレス）が分からず、正しいデータの取得または書き込みができない。したがってＳＹＮＣは必ず正しい位置で検出する必要があるが、この発明の実施の形態では、ノイズ等の外乱に強くより正確なＳＹＮＣ検出／物理アドレス検出ができるので非常に有効である。
【００６２】
なお、この発明は前述した実施の形態に限定されるものではなく、現在または将来の実施段階では、その時点で利用可能な技術に基づき、その要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００６３】
【図１】この発明の一実施の形態に係る光ディスク装置の構成例を示すブロック図。
【図２】この発明の一実施の形態に係る光ディスク装置のピックアップの構成例を示す説明図。
【図３】この発明の一実施の形態に係るウォブルＰＬＬ部／アドレス検出部の構成例を示すブロック図。
【図４】この発明の一実施の形態に係るウォブルＰＬＬ部／アドレス検出部における信号読取り時の信号波形の一例を示す波形図。
【図５】この発明の一実施の形態に係る光ディスク装置が扱う光ディスクの記録トラックの周辺レイアウトの一例を示す説明図。
【図６】この発明の一実施の形態に係る光ディスク装置が扱う光ディスクのウォブル信号の物理アドレスフォーマット（次世代ＤＶＤ物理アドレスフォーマット）の一例を示す説明図。
【図７】この発明の一実施の形態に係る同期信号検出部の回路構成の一例を説明するブロック図。
【図８】この発明の一実施の形態における同期検出のタイミングを説明する図。
【図９】この発明の一実施の形態に係る光ディスクのウォブル信号の内容例（ユニティ領域と同期パターンとアドレス領域の配列例）を説明する図。
【図１０】この発明の他の実施の形態における同期検出のタイミング（例１）を説明する図。
【図１１】この発明の他の実施の形態における同期検出のタイミング（例２）を説明する図。
【図１２】この発明の一実施の形態に係るアドレス検出部の回路構成の一例を説明するブロック図。
【図１３】この発明の一実施の形態におけるアドレス検出のタイミングを説明する図。
【符号の説明】
【００６４】
Ｄ…光ディスク；１２…ＲＦアンプ回路；１３…スピンドルモータ；１４…モータ制御回路；１５…光ピックアップ；１６…ＰＬＬ回路；１７…エラー訂正回路；３６…ウォブルＰＬＬ部／アドレス検出部；３７…フォーカシング制御部；３８…トラッキング制御部；４０…ＣＰＵ（またはＭＰＵ）；４１…ＲＡＭ；４２…ＲＯＭ；４３…インタフェース回路；４４…ホスト装置；５１…ウォブルＰＬＬ回路；５６…同期信号検出部；５７…アドレス領域先頭検出部；５８…物理アドレス保持部；５６１、５７１…ウォブル４波加算回路；５６２、５７２…２値化回路；５６３、５７３…カウンタ；５６４、５７４…ゲート信号生成回路；５６５、５７５…シフトレジスタ；５６６、５７６…パターン演算回路（エッジ状態レベル検出回路）；５６７…比較判定回路（ＳＹＮＣ検出回路）；５７７…比較判定回路（アドレス検出回路）；５６８、５７８…ＡＮＤゲート
【図１】
2006018892.tif 000003
【図２】
2006018892.tif 000004
【図３】
2006018892.tif 000005
【図４】
2006018892.tif 000006
【図５】
2006018892.tif 000007
【図６】
2006018892.tif 000008
【図７】
2006018892.tif 000009
【図８】
2006018892.tif 000010
【図９】
2006018892.tif 000011
【図１０】
2006018892.tif 000012
【図１１】
2006018892.tif 000013
【図１２】
2006018892.tif 000014
【図１３】
2006018892.tif 000015